(57)【要約】    【課題】  画像処理装置において、利用頻度は低いが再度利用する可能性の高い設定のシーケンスについてユーザの利便性を向上させる。    【解決手段】  画像処理において、設定項目へのユーザによる設定を入力し、入力された設定を、その設定の状況を表す情報とともに設定ログ情報として順次記録する。記録された１つ以上の設定ログ情報に基づいて、再利用価値を示すパラメータを算出し、前記１つ以上の設定ログ情報と前記パラメータとを関連づけて記憶する。記憶された前記１つ以上の設定ログ情報について、算出された前記パラメータが所定の判断基準を満たすか否かを判断する。そして、前記所定の判断基準を満たすと判断された前記パラメータを有する前記１つ以上の設定ログ情報を提示する。【選択図】図２
2007052490.tif 000002
【特許請求の範囲】
【請求項１】
設定項目への設定をユーザが入力する入力手段と、
入力された設定を、その設定の状況を表す情報とともに設定ログ情報として順次記録する記録手段と、
１つ以上の設定ログ情報に基づいて、再利用価値を示すパラメータを算出する算出手段と、
前記１つ以上の設定ログ情報を含む操作情報と前記パラメータとを関連づけて記憶する記憶手段と、
前記記憶手段により記憶された前記１つ以上の設定ログ情報について、前記算出手段により算出された前記パラメータが所定の判断基準を満たすか否かを判断する判断手段と、
前記判断手段により所定の判断基準を満たすと判断された前記パラメータを有する前記１つ以上の設定ログ情報を提示する提示手段と、
を有することを特徴とする画像処理装置。
【請求項２】
さらに、
順次記録された前記設定ログ情報から相互に関連する前記設定ログ情報を抽出する抽出手段と、
抽出した前記設定ログ情報とその設定順序とを前記操作情報として記憶する第２記憶手段と
を有することを特徴とする請求項１に記載された画像処理装置。
【請求項３】
さらに、
ワンタッチキーを含む操作手段と、
前記判断基準を満たす前記パラメータを有する前記操作情報を前記ワンタッチキーに登録する登録手段とを有することを特徴とする請求項１または２に記載された画像処理装置。
【請求項４】
前記入力手段は、前記操作情報を提示する操作情報提示手段と、
前記操作情報提示手段により提示された前記操作情報をユーザが変更する操作情報変更手段と、
変更された前記操作情報に基づいて処理を制御する制御手段を
有することを特徴とする請求項１または２に記載された画像処理装置。
【請求項５】
前記入力手段は、前記判断基準を提示する判断基準提示手段と、前記判断基準提示手段により提示された前記判断基準をユーザが変更する判断基準変更手段とを有することを特徴とする請求項１または２に記載された画像処理装置。
【請求項６】
前記算出手段は、前記設定項目の設定値とデフォルト設定値との乖離度に基づいて前記パラメータを算出することを特徴とする請求項１〜５のいずれかに記載された画像処理装置。
【請求項７】
前記算出手段は、前記設定が実行される周期を表す実行周期情報と前回実行時からの経過期間からのずれに基づいて前記パラメータを算出することを特徴とする請求項１〜５のいずれかに記載された画像処理装置。
【請求項８】
前記算出手段は、前記操作情報に含まれる設定の数の基準長とのずれに基づいて前記パラメータを算出することを特徴とする請求項１〜５のいずれかに記載された画像処理装置。
【請求項９】
前記算出手段は、同報送信に関する前記操作情報について、前記同報送信の基準数とのずれに基づいて前記パラメータを算出することを特徴とする請求項１〜５のいずれかに記載された画像処理装置。
【請求項１０】
前記算出手段は、当該操作情報に対して他の前記操作情報との許容相違数とのずれに基づいて前記パラメータを算出することを特徴とする請求項１〜５のいずれかに記載された画像処理装置。
【請求項１１】
設定項目へのユーザによる設定を入力し、
入力された設定を、その設定の状況を表す情報とともに設定ログ情報として順次記録し、
記録された１つ以上の設定ログ情報に基づいて、再利用価値を示すパラメータを算出し、
前記１つ以上の設定ログ情報を含む操作情報と前記パラメータとを関連づけて記憶し、
記憶された前記１つ以上の設定ログ情報について、算出された前記パラメータが所定の判断基準を満たすか否かを判断し、
前記所定の判断基準を満たすと判断された前記パラメータを有する前記１つ以上の設定ログ情報を提示する
ことを特徴とする画像処理方法。
【請求項１２】
さらに、
順次記録された前記設定ログ情報から相互に関連する前記設定ログ情報を抽出し、
抽出した１つ以上の前記設定ログ情報とその設定順序とを前記操作情報として記憶する
ことを特徴とする請求項１１記載の画像処理方法。
【請求項１３】
ワンタッチキーを含む操作手段を用い、
前記判断基準を満たす前記パラメータを有する前記操作情報を前記ワンタッチキーに登録することを特徴とする請求項１１または１２に記載された画像処理方法。
【請求項１４】
前記設定の入力において、
前記操作情報を提示し、
提示された操作情報のユーザによる変更を入力し、
変更された操作情報に基づいて処理を制御する
ことを特徴とする請求項１１または１２に記載された画像処理方法。
【請求項１５】
前記設定の入力において、
前記判断基準を提示し、
提示された前記判断基準のユーザによる変更を入力する
ことを特徴とする請求項１１または１２に記載された画像処理方法。
【請求項１６】
前記パラメータの算出において、前記設定項目の設定値とデフォルト設定値との乖離度に基づいて前記パラメータを算出することを特徴とする請求項１１〜１５のいずれかに記載された画像処理方法。
【請求項１７】
前記パラメータの算出において、前記設定が実行される周期を表す実行周期情報と前回実行時からの経過期間からのずれに基づいて前記パラメータを算出することを特徴とする請求項１１〜１５のいずれかに記載された画像処理方法。
【請求項１８】
前記パラメータの算出において、前記操作情報に含まれる設定の数の基準長とのずれに基づいて前記パラメータを算出することを特徴とする請求項１１〜１５のいずれかに記載された画像処理方法。
【請求項１９】
設定項目へのユーザによる設定を入力するステップと、
入力された設定を、その設定の状況を表す情報とともに設定ログ情報として順次記録するステップと、
記録された１つ以上の設定ログ情報に基づいて、再利用価値を示すパラメータを算出するステップと、
前記１つ以上の設定ログ情報と前記パラメータとを関連づけて操作情報として記憶するステップと、
記憶された前記１つ以上の設定ログ情報について、算出された前記パラメータが所定の判断基準を満たすか否かを判断するステップと、
前記所定の判断基準を満たすと判断された前記パラメータを有する前記１つ以上の設定ログ情報を提示するステップと
からなる画像処理プログラムを記録する、画像処理装置が読み取り可能な記録媒体。
【請求項２０】
前記画像処理プログラムが、さらに、
順次記録された前記設定ログ情報から相互に関連する前記設定ログ情報を抽出するステップを備え、
抽出した１つ以上の前記設定ログ情報とその設定順序とを前記操作情報として記憶することを特徴とする請求項１９記載の記録媒体。
【発明の詳細な説明】
【技術分野】
【０００１】
本発明は、複合機（ＭＦＰ）などの画像処理装置に関する。
【背景技術】
【０００２】
近年の画像処理装置は、多くの高度の機能を備えている。たとえば複合機は、スキャン機能、プリンタ機能、コピー機能、ファクシミリ機能などの多くの機能を備え、また、ネットワーク機器であるので、ネットワークを介して種々の処理が可能となっている。そのような装置の高機能化に伴って、また、オフィスでの業務の高度化に伴って、画像処理装置などを扱うユーザは、ジョブの実行の前に多くの設定項目について操作内容を入力する操作を行うことが必要になってきている。このように、ユーザの操作が複雑かつ長いものとなってきているので、ユーザの利便性を高めるため、従来から、ユーザの操作を簡便にするため、ワンタッチキーなどのプログラムメモリ機能により操作を記憶しておく技術や、利用頻度の高い操作を優先的に表示する技術や、過去に行った操作を選択する技術が提案されていた。
【０００３】
たとえば特開平６−１６４７９６号公報に記載されているファクシミリ装置では、送信先を登録しているワンタッチキーについて、ワンタッチキーの使用頻度を計数して、ワンタッチキーの表示の順序を使用頻度の多い順に変える。これにより、操作者は、頻繁に使用するワンタッチキーを見つけやすい。また、特開２０００−１６８１７３号公報で示されるプリンタでは、印刷条件の各種設定項目の使用頻度を計数し、利用頻度の高い設定項目（印刷条件）を初期設定項目として優先的に表示する。また、特開２００３−１８３３５号公報で示される画像読取装置では、過去に行った一連の送信の設定を送信条件設定グループとして送信条件設定履歴に記憶しておく。送信時に送信条件設定履歴を呼び出して選択できるので、送信条件の設定に関する操作性が向上する。
【特許文献１】特開平６−１６４７９６号公報
【特許文献２】特開２０００−１６８１７３号公報
【特許文献３】特開２００３−１８３３５号公報
【発明の開示】
【発明が解決しようとする課題】
【０００４】
画像処理装置において実行される設定項目への設定内容を入力する操作には、利用頻度が少なくても、再利用可能性が高いものがある。しかし、従来は、そのような操作について操作性を向上することは考えられていなかった。たとえば、ワンタッチキーなどのプログラムメモリ機能では、ユーザが行った操作を保存（登録）しておくことができる。しかし、そのためには、ユーザがその操作を保存しておく意図を持って、メモリに保存する操作をする必要があった。したがって、保存されていない操作は再利用できなかった。また、設定項目の利用頻度のみに着目している画像処理装置では、利用頻度が低い操作は、ユーザにとって再度利用する可能性が高い状況でも画像処理装置に記憶されない場合があった。その場合、利用頻度が少ない操作をユーザがもう一度利用しようとしても、装置内には記録は残されていない。また、利用頻度が低いことからユーザ自身もその操作の内容を忘れてしまっている場合もある。そのような場合、ユーザは再度初めから当該操作の設定を繰り返す必要があり、再設定に多大な労力を要することがある。したがって、利用頻度が低い操作であっても再利用価値が高い操作については、再利用しやすくしてユーザの利便性を高めることが望ましい。
【０００５】
本発明の目的は、画像処理装置において、利用頻度は低くても再利用可能性がある操作についてユーザの利便性を向上させることである。
【課題を解決するための手段】
【０００６】
本発明に係る画像処理装置は、設定項目への設定をユーザが入力する入力手段と、入力された設定を、その設定の状況を表す情報とともに設定ログ情報として順次記録する記録手段と、１つ以上の設定ログ情報に基づいて、再利用価値を示すパラメータを算出する算出手段と、前記１つ以上の設定ログ情報を含む操作情報と前記パラメータとを関連づけて記憶する記憶手段と、前記記憶手段により記憶された前記１つ以上の設定ログ情報について、前記算出手段により算出された前記パラメータが所定の判断基準を満たすか否かを判断する判断手段と、前記判断手段により所定の判断基準を満たすと判断された前記パラメータを有する前記１つ以上の設定ログ情報を提示する提示手段とを有する。好ましくは、前記画像処理装置は、さらに、順次記録された前記設定ログ情報から相互に関連する前記設定ログ情報を抽出する抽出手段と、抽出した前記設定ログ情報とその設定順序とを前記操作情報として記憶する第２記憶手段とを有する。
【０００７】
前記画像処理装置は、好ましくは、さらに、ワンタッチキーを含む操作手段と、前記判断基準を満たす前記パラメータを有する前記操作情報を前記ワンタッチキーに登録する登録手段とを有する。
【０００８】
また、前記画像処理装置において、好ましくは、前記入力手段は、前記操作情報を提示する操作情報提示手段と、前記操作情報提示手段により提示された前記操作情報をユーザが変更する操作情報変更手段と、変更された前記操作情報に基づいて処理を制御する制御手段を有する。
【０００９】
また、前記画像処理装置において、好ましくは、前記入力手段は、前記判断基準を提示する判断基準提示手段と、前記判断基準提示手段により提示された前記判断基準をユーザが変更する判断基準変更手段とを有する。
【００１０】
前記画像処理装置において、前記算出手段は、たとえば、前記設定項目の設定値とデフォルト設定値との乖離度に基づいて前記パラメータを算出する。また、前記画像処理装置において、前記算出手段は、たとえば、前記設定が実行される周期を表す実行周期情報と前回実行時からの経過期間からのずれに基づいて前記パラメータを算出する。また、前記画像処理装置において、前記算出手段は、たとえば、前記操作情報に含まれる設定の数の基準長とのずれに基づいて前記パラメータを算出する。また、前記画像処理装置において、前記算出手段は、たとえば、同報送信に関する前記操作情報について、前記同報送信の基準数とのずれに基づいて前記パラメータを算出する。また、前記画像処理装置において、前記算出手段は、たとえば、当該操作情報に対して他の前記操作情報との許容相違数とのずれに基づいて前記パラメータを算出する。
【００１１】
本発明に係る画像処理方法では、（１）  設定項目へのユーザによる設定を入力し、（２）入力された設定を、その設定の状況を表す情報とともに設定ログ情報として順次記録し、（３）記録された１つ以上の設定ログ情報に基づいて、再利用価値を示すパラメータを算出し、（４）前記１つ以上の設定ログ情報を含む操作情報と前記パラメータとを関連づけて記憶し、（５）記憶された前記１つ以上の設定ログ情報について、算出された前記パラメータが所定の判断基準を満たすか否かを判断し、（６）前記所定の判断基準を満たすと判断された前記パラメータを有する前記１つ以上の設定ログ情報を提示する。この画像処理方法では、好ましくは、さらに、順次記録された前記設定ログ情報から相互に関連する前記設定ログ情報を抽出し、抽出した１つ以上の前記設定ログ情報とその設定順序とを前記操作情報として記憶する。
【００１２】
前記画像処理方法では、好ましくは、ワンタッチキーを含む操作手段を用い、次に、前記判断基準を満たす前記パラメータを有する前記操作情報を前記ワンタッチキーに登録する。
【００１３】
前記画像処理方法における前記設定の入力において、たとえば、前記操作情報を提示し、次に、提示された操作情報のユーザによる変更を入力する。そして、変更された操作情報に基づいて処理を制御する。
【００１４】
前記画像処理方法における前記設定の入力において、たとえば、前記判断基準を提示し、次に、提示された前記判断基準のユーザによる変更を入力する。
【００１５】
前記画像処理方法における前記パラメータの算出において、たとえば、前記設定項目の設定値とデフォルト設定値との乖離度に基づいて前記パラメータを算出する。また、前記パラメータの算出において、たとえば、前記設定が実行される周期を表す実行周期情報と前回実行時からの経過期間からのずれに基づいて前記パラメータを算出する。また、前記パラメータの算出において、たとえば、前記操作情報に含まれる設定の数の基準長とのずれに基づいて前記パラメータを算出する。
【００１６】
本発明に係る画像処理装置が読み取り可能な記録媒体は、設定項目へのユーザによる設定を入力するステップと、入力された設定を、その設定の状況を表す情報とともに設定ログ情報として順次記録するステップと、記録された１つ以上の設定ログ情報に基づいて、再利用価値を示すパラメータを算出するステップと、前記１つ以上の設定ログ情報を含む操作情報と前記パラメータとを関連づけて記憶するステップと、記憶された前記１つ以上の設定ログ情報について、算出された前記パラメータが所定の判断基準を満たすか否かを判断するステップと、前記所定の判断基準を満たすと判断された前記パラメータを有する前記１つ以上の設定ログ情報を提示するステップとからなる画像処理プログラムを記録する、記録媒体である。好ましくは、画像処理プログラムは、さらに、順次記録された前記設定ログ情報から相互に関連する前記設定ログ情報を抽出するステップを備え、抽出した１つ以上の前記設定ログ情報とその設定順序とを前記操作情報として記憶するステップを備える。
【発明の効果】
【００１７】
ユーザが入力した操作情報について、入力された状況を表す情報を含んだ設定ログ情報を解析してユーザが再利用する可能性に関連する再利用価値を示すパラメータを算出して評価するので、再度利用する可能性が高い操作情報をユーザに提示でき、これにより、ユーザの利便性を向上できる。
【発明を実施するための最良の形態】
【００１８】
以下、添付の図面を参照して本発明の実施の形態を説明する。なお、図面において、同じ参照記号は同一または同等のものを示す。
【００１９】
図１は、プリンタ、複写機、スキャナ、ファクシミリ装置などとして機能する複合機（ＭＦＰ）の構成を示す。複合機は、画像処理装置の１例である。制御部１０は、画像を読み取る画像読取部３０、画像を形成して印刷する画像形成印刷部３２、各種の表示とユーザの操作入力のための操作パネル３４に接続される。なお、ファクシミリ機能は説明を省略する。制御部１０において、全体を制御するＣＰＵ１２は、プログラム、データなどを記憶するＲＯＭ１４、ワークエリアとしてのＲＡＭ１６、大容量記憶装置であるハードディスク装置１８、外部と通信するための通信部２０と入出力インタフェース２２に接続される。ハードディスク装置１８には、各種のプログラムやデータが記憶されるが、その中には、ジョブ管理プログラム、ユーザ管理プログラムなどが含まれる。また、制御部１０は、ＬＡＮなどのネットワーク４０を介してコンピュータ（ＰＣ）４２や他の画像処理装置４４に接続される。複合機に対する指示は、操作パネル３４で行うほか、外部のＰＣ４２などからもネットワーク４０を介して行える。
【００２０】
図２は、図１に示した画像処理装置である複合機における機能の構成を示す。通信部２０から受信したデータはジョブ制御部１００でジョブ単位の制御が施されて画像形成印刷部３２に転送され、そこで紙に印刷される。また、画像読取部３０で得られた画像データは、ジョブ制御部１００でジョブ単位の制御が施されて通信部２０に送られて、外部（コンピュータ４２など）に転送されたり、ハードディスク装置１８に記憶されたりする。また、コピーの場合は、画像読取部３０で得られた画像データはジョブ制御部１００でジョブ単位の制御が施されて画像形成印刷部３２に転送されて紙に印刷される。なお、ジョブとは、１つの設定項目とその設定内容を単位としたユーザの操作単位を指し、各々の操作単位には、個別のログＩＤが割り当てられる。ジョブシーケンスとは、相互に関連する一連のログＩＤを操作順に並べたものである。ここでは、ジョブシーケンスとは、ログインからログアウトの間に行う操作をいい、より一般的には、相互に関連する複数の設定項目を含む処理をいい、ログインとログアウトにはしばられない。たとえば、プリントアウト、スキャン、ファクシミリ送信などを含む一連の操作の開始から終了までからなる。いずれの動作においても、ジョブ制御部１００は、操作パネル３４において、または、外部のコンピュータ４２を介して、ユーザが入力した設定項目についての設定内容を、設定ログ情報（後に詳細に説明を行う）として設定ログ情報記録部１０２に記録する。
【００２１】
図３は、設定ログ情報記録部１０２に記録されるユーザごとの設定ログ情報の例を示す。各設定ログ情報は、ログ自体の識別のためのログＩＤと、設定項目及びその設定内容のほかに、入力された状況を表す情報として、その設定ログ情報の直前の設定ログ情報を示す前ログＩＤと、直後の設定ログ情報を示す後ログＩＤ、ユーザ識別情報、操作時刻などの他の情報を記録する。ジョブシーケンス抽出部１０４は、このような設定ログ情報から前ログＩＤと後ログＩＤを探索して、対象となるユーザに関する一連のジョブ（操作）の操作順を表すジョブシーケンス（図４参照）を抽出する。なお、各設定ログ情報の記憶の仕方により、その前後が常に明確になるのであれば、設定ログ情報において、前ログＩＤおよび後ログＩＤの記録はしなくてもよい。
【００２２】
図３のような記録形態であれば、設定ログ情報から抽出したジョブシーケンスは、図４に示すようなログＩＤのシーケンスで表すことができる。すなわち、各設定ログ情報は、ログＩＤの他に、前ログＩＤと後ログＩＤを含んでいるので、複数の設定ログ情報を設定の順に並べることができる。図４の例では、一連の関連するログＩＤが操作順に１列に配列されている。
【００２３】
図５は、図４のジョブシーケンスに沿った設定ログ情報からなる操作情報を示している。操作情報とは、ジョブ及びジョブシーケンスに含まれる一連の設定ログ情報をさす用語として使用する。したがって、操作情報は、相互に関連する一連の処理を実行するのに必要なすべての情報を含む。この例では、設定ログ情報は、ログイン操作から始まり、スキャン送信速度設定、ファイルフォーマット設定、解像度設定、送信方法設定、宛先設定および送信操作を経て、ログアウト操作で終わっている一連の関連のあるユーザの操作の流れが抽出されたものである。具体的に説明すると、ユーザの操作は以下のとおりである。
（１）まず操作パネル３４からユーザＩＤとパスワードを入力してログインした（ログＩＤ＝１００８）。ジョブシーケンスはログインで始まる。
（２）操作パネル３４でスキャン送信の設定を行う動作選択スイッチを操作した（ログＩＤ＝１００９）。
（３）スキャンしたデータのファイルフォーマットとしてＰＤＦを選択した（ログＩＤ＝１０１０）。
（４）スキャンする画像の解像度として２００dpiを設定した（ログＩＤ＝１０１１）。
（５）スキャンした画像データファイルの送信方法として電子メールを選択した（ログＩＤ＝１０１２）。
（６）送信先の宛先として電子メールアドレスを入力した（ログＩＤ＝１０１３）。
（７）即時送信の操作をした（ログｌＤ＝１０１４）。
（８）画像処理装置からログアウトする操作をした（ログＩＤ＝１０１５）。ジョブシーケンスはログアウトで終わる。
【００２４】
次に、再利用価値を考慮したジョブシーケンスの提示と登録について説明する。まず、設定ログ情報記録部１０２に記録された設定ログ情報を解析してジョブシーケンスを抽出する。ジョブシーケンスに対して、利用頻度の他にユーザにとっての再利用価値を示す重みパラメータを導入する。そして、重みパラメータの値に基づいてユーザに再利用される可能性が高いと判断されるジョブシーケンスを自動的に抽出し、これをユーザが使いやすいように操作パネル３４の表示部１２２で提示する。
【００２５】
なお、本発明は、利用頻度は低くても再利用可能性がある操作についてユーザの利便性を向上させるものであり、一般的には、設定ログ情報記録部１０２に記録されるユーザごとの設定ログ情報のうち、１つ以上の設定ログ情報について、再利用価値を示すパラメータを算出する。そして、このパラメータをもとに再利用可能性を判断する。ここで、この「１つ以上の設定ログ情報」は、１つの設定ログ情報であってもよい。この場合は、設定ごとにその設定状況を表す情報と設定内容に応じて再利用価値を示すパラメータを算出する。そして、その設定とパラメータを関連づけて記憶する。そして、判断基準を満たすパラメータを有する設定をユーザに提示する。（この場合、当然のことであるが、後で説明するジョブシーケンス抽出に相当する処理は不要である。）また、ログインからログアウトの間に行う操作であるジョブシーケンスは、「１つ以上の設定ログ情報」の１例であるが、上述したように、より一般的には、相互に関連する複数の設定項目を含む処理であればよく、ログインとログアウトにはしばられない。なお、以下では、「１つ以上の設定ログ情報」がジョブシーケンスである場合について再利用価値の判断と提示に説明するが、他の場合も同様に処理を行えばよい。
【００２６】
図２を参照して、さらに説明すると、ジョブシーケンス抽出部１０４は、設定ログ情報記録部１０２に記憶されたログから、相互に関連するログＩＤを抽出し、抽出したログＩＤを、一連の関連するログＩＤとして操作順に並べたジョブシーケンス（図４参照）としてジョブシーケンス記憶部１０６に記憶する。抽出されたジョブシーケンスの再利用価値を判断するために、ジョブシーケンス重みパラメータ算出部１１０は、ジョブシーケンスごとに、その再利用価値を示すパラメータを算出し、ジョブシーケンスと関連づけてジョブシーケンス記憶部１０６のテーブルに記憶し、ジョブシーケンス判断部１１８は、各ジョブシーケンスについて、ユーザへの提示基準値を超えるか否かを評価する。そして、ジョブシーケンス提示登録部１２６は、提示基準値を超えると評価されたジョブシーケンスをユーザに提示する。また、ジョブシーケンス利用頻度算出部１０８は、各ジョブシーケンスについて利用頻度を算出する。なお、図２において、ジョブ制御部１００、ジョブシーケンス抽出部１０４、ジョブシーケンス利用頻度算出部１０８、ジョブシーケンス重みパラメータ算出部１１０、ジョブシーケンス判断部１１８およびジョブシーケンス提示登録部１２６は、ＣＰＵ１２により実行されるジョブ制御プログラムの一部である。また、設定ログ情報記録部１０２、ジョブシーケンス記憶部１０６、デフォルト設定記憶部１１２、基準値記憶部１１４、相違許容値記憶部１１６、判断基準設定部１２０及びユーザ管理部１２８は、たとえばハードディスク装置１８に記憶されるデータの一部である。なお、ログイン処理などで用いるユーザ識別情報は、ユーザ管理情報（ユーザ名やパスワードを含む）を記憶するユーザ管理部１２８から得られる。
【００２７】
抽出されたジョブシーケンスは、ジョブシーケンス記憶部１０６で記憶される。ジョブシーケンス利用頻度算出部１０８は、同じジョブシーケンスがユーザによって実行されると、そのジョブシーケンスの頻度値を増加させる。また、ジョブシーケンス重みパラメータ算出部１１０は、記憶された各ジョブシーケンスに対して、ジョブシーケンスの再利用可能性を示すパラメータ（以下では重みパラメータという）を算出し、ジョブシーケンス記憶部１０６にそのジョブシーケンスと関連づけて記憶する。ジョブシーケンス重みパラメータ算出部１１０は、ジョブシーケンスに対する重みパラメータを算出する。利用頻度もジョブシーケンスの再利用価値に関連するが、ここでいう再利用価値は利用頻度を含まない。すなわち、ジョブシーケンス重みパラメータ算出部１１０は、利用頻度が低くても再利用価値が高いシーケンスについて重みを大きくする。そのような重みパラメータとしては、後に説明するように種々のものが考えられ、目的に応じて適当なものを採用すればよい。この算出には、たとえば、デフォルト設定記憶部１１２に記憶されたデフォルト設定値、基準値記憶部１１４に記憶された設定の基準値、相違許容値記憶部１１６に記憶された他のジョブシーケンスに対して許容できる相違数などを利用する。デフォルト設定記憶部１１２、基準値記憶部１１４および相違許容値記憶部１１６への値の設定は、操作パネル３４の操作入力部１２２と表示部１２４を利用して行うが、通信部２０を介してネットワーク４０に接続されたコンピュータ４２や他の画像処理装置４４から行ってもよい。
【００２８】
ジョブシーケンス判断部１１８は、各ジョブシーケンスに対する利用頻度と重みパラメータを判断し、これを基にユーザに提示するジョブシーケンスを選定する。ここで、ジョブシーケンス判断部１１８は、判断基準設定部１２０の判断基準を用いてジョブシーケンスを提示するか否かを評価する。判断基準設定部１２０に設定された判断基準は、利用頻度、重みパラメータおよびユーザ設定（これについては具体的な説明を省略する）のいずれを優先するかがユーザにより設定されるようにしておいてもよいし、デフォルトで優先する判断基準を決めておいてもよい。また、ユーザに提示するジョブシーケンスを選定するための各種基準値などが設定されている。ジョブシーケンス提示登録部１２６による提示登録の際に、重みパラメータを優先する場合は、ジョブシーケンス判断部１１８により、再利用価値が提示基準値を越えると判定されたジョブシーケンスの情報がジョブシーケンス提示登録部１２６に転送される。
【００２９】
図６は、このようにして算出した利用頻度、重みパラメータ及び評価を含むジョブシーケンス記憶部１０６内のテーブルの例を示す。各ジョブシーケンスに対して、識別のためのシーケンスＩＤを付与し、重みパラメータを算出して、そのジョブシーケンスのユーザ識別情報や利用頻度と合わせて記憶する。また、ジョブシーケンス判断部１１８による評価判定の結果も記憶する。なお、図６の例では重みパラメータの欄は一つで示しているが、後述する種々の算出方法で得られた重みパラメータを個別に記憶できるよう複数の欄となっていてもよい。図６の例では、シーケンスＩＤ１０１のジョブシーケンスは、利用頻度はシーケンスＩＤ１のジョブシーケンスよりかなり低いが、重みパラメータが大きく、ユーザに提示するべきであると判定されている。
【００３０】
図７は、設定ログ情報記録部１０２に記録されている設定ログ情報からのジョブシーケンスの抽出からその登録までの動作を示す。なお、ここでは全てのジョブシーケンスを対象として処理するよう記述しているが、ユーザが所望するジョブシーケンスに処理を限定できるようになっていてもよい。まず、設定ログ情報記録部１０２に記録された設定ログ情報からジョブシーケンスを抽出し（Ｓ１０）、メモリ（ジョブシーケンス記憶部１０６）に記憶する（Ｓ１２）。これは図２のジョブシーケンス抽出部１０４に対応する。次に、そのジョブシーケンスについて利用頻度を算出する（Ｓ１４）。これは、図２のジョブシーケンス利用頻度算出部１０８に対応する。次に、このジョブシーケンスについて重みパラメータを算出する（Ｓ１６）。これは、図２のジョブシーケンス重みパラメータ算出部１１０に対応する。次に、重みパラメータをジョブシーケンスに関連づけて記憶する（Ｓ１８）。上述の評価のための計算を繰り返す。すべてのジョブシーケンスについて処理が終わると（Ｓ２０でＹＥＳ）、次に、所定の判断基準を満たすジョブシーケンスがあるか否かを判断し（Ｓ２２）、判断基準を越えるジョブシーケンスがある場合、ジョブシーケンス記憶部１０６に記憶する（Ｓ２４)。越えるものがなければ処理を終了する。これは図２のジョブシーケンス判断部１１８に対応する。
【００３１】
ジョブシーケンス提示登録部１２６は、ユーザの操作に応じて、選定されたジョブシーケンスの情報をジョブシーケンス記憶部１０６から読み出して、表示部１２２に表示する。また、操作入力部１２４からの操作内容によってそのようなジョブシーケンスを操作パネル３４の操作入力部１２４のワンタッチキーなどに登録できる。これにより操作を容易にする。また、通信部２０を介して、選定されたジョブシーケンスの情報を外部のコンピュータ４２や画像処理装置４４に転送できる。また、外部のコンピュータ４２や画像処理装置４４からの操作内容に基づいてユーザが所望するジョブシーケンスを登録できるようにしてもよい。
【００３２】
次に、ジョブシーケンス重みパラメータ算出部１１０のいくつかの例を説明する。重みパラメータは、ジョブシーケンスの再利用価値についての重みを表す。再利用価値は種々の観点で評価できるが、ここでは、デフォルト設定値からの乖離度、実行周期情報と前回実行時からの経過時間からのずれ、ジョブシーケンスの長さ、同報送信の場合の同報送信宛先数およびジョブシーケンスの基準長さに対する許容相違数の５つの項目について重みパラメータを算出可能としている。以下では、それぞれについてのジョブシーケンス重みパラメータ算出部１１０の例を説明する。
【００３３】
図８に示すジョブシーケンス重みパラメータ算出部１１０では、乖離度算出部１１０ａがデフォルト設定記憶部１１２に記憶されているデフォルト設定値からの乖離度よりジョブシーケンスの重みパラメータを算出する。重みパラメータとして、乖離度が大きいほど大きな数値を与える。これは、乖離度が大きいと、通常の設定と大きく異なるので、特別な目的、用途のために設定されたと考えられ、再利用価値が大きいと判断されるためである。ユーザはひんぱんにはそのような設定を使用しないが、特定用途用の設定が提示されると利便性が向上する。
【００３４】
図９は、乖離度算出部１１０ａのジョブシーケンス重みパラメータ算出のフローチャートを示し、図１０は、乖離度算出部１１０ａが重みパラメータを算出する流れを示す。乖離度算出部１１０ａでは、まず、（１）ジョブシーケンス記憶部１０６に記憶されたジョブシーケンス情報をシーケンスＩＤで特定し（Ｓ１６０ａ）、（２）シーケンスＩＤから、算出対象となるジョブシーケンスをジョブシーケンス抽出部１０４で特定し（Ｓ１６２ａ）、さらに（３）当該ジョブシーケンスを構成する設定ログ情報を設定ログ情報記録部１０２で特定して（Ｓ１６４ａ）、（４）当該設定ログ情報から設定機能と設定内容の情報を取得する（Ｓ１６６ａ）。次に、（５）デフォルト設定記憶部１１２に記憶されたデフォルト設定値を取得して（Ｓ１６８ａ）、設定ログ情報と比較して重みパラメータを算出する（Ｓ１７０ａ）。この例では、解像度についてログ（実際の解像度設定値）とデフォルト設定値との間で解像度の設定値についての乖離度を重みパラメータとして算出している。具体的には、設定ログ情報を参照すると、２００dpiと設定されているが、デフォルト設定値記憶部を参照すると、デフォルト設定値は６００dpiと設定されている。実際の設定値とデフォルト設定値とのずれは４００dpiとなり、この値を基に、たとえば重みパラメータを４とする。そして、（６）この結果を当該ジョブシーケンスの重みパラメータとしてジョブシーケンス記憶部１０６内のテーブルの当該ジョブシーケンスの欄に記憶する（Ｓ１７２ａ）。この例では、数値の差分の絶対値に、規定された係数を乗じて、乖離度を算出している。また、乖離度を定量的に算出できる他の算出式を用いてもよい。また、算出の対象となる設定機能ごとに算出式を変更してもよい。さらに、同じ設定機能に対して、ユーザごとに算出式を変更してもよい。
【００３５】
図１１は、ジョブシーケンス重みパラメータ算出部１１０の別の例を示す。この例では、特定のジョブシーケンスがほぼ一定期間おきに実行されている状況において、ジョブシーケンスが実行される定時性から重みパラメータを算出する。ここで、ジョブシーケンス重みパラメータ算出部１１０内の定時性算出部１１０ｂは、この実行周期の定時性が高いほど、重みパラメータに大きな値を加算する。これは、定時性が大きいほど、再利用価値が高いと考えられるためである。
【００３６】
図１２は、定時性算出部１１０ｂのジョブシーケンス重みパラメータ算出のフローチャートを示す。定時性算出部１１０ｂは、ジョブシーケンス記憶部１０６に記憶されたジョブシーケンス情報に対し、図１０の例と同様にしてジョブシーケンスを構成するシーケンスＩＤを特定し（Ｓ１６０ｂ）、そのシーケンスＩＤのシーケンスと同じ設定からなる前回のジョブシーケンスＩＤを特定する（Ｓ１６２ｂ）。さらに、それぞれのジョブシーケンスに関連する設定ログ情報からジョブシーケンスが実行された時間情報を取得する（Ｓ１６４ｂ）。また、図１１に示される実行周期記憶部１１２からジョブシーケンスが実行される周期を示す実行周期情報を取得する（Ｓ１６５ｂ）。そして、ジョブシーケンスの実行時刻に対する定時性の許容値すなわち基準値を基準値記憶部１１４から取得して（Ｓ１６６ｂ）、今回の実行時の時間情報と、前回の実行時からの経過時間とに基づいて、実行周期からのずれを算出し（Ｓ１６７ｂ）、ずれに基づいて重みパラメータを算出する（Ｓ１６８ｂ）。同じジョブシーケンスが特定の日時に実行され、しかも実行時刻が当該許容値内であれば、あらかじめ設定された重みパラメータの値を重みパラメータとして、ジョブシーケンス記憶部１０６の当該ジョブシーケンスの重みパラメータ欄に記憶する（Ｓ１７０ｂ）。ここでは、重みパラメータを固定値としているが、許容値からのずれ分に対してある係数を乗じて算出してもよい。ここで、特定の日時や時間帯またはユーザごとに、係数を増減させてもよい。また、許容値として日にちが設定される場合もある。ユーザＩＤとユーザ名は、ユーザ管理部１２８において管理されている。
【００３７】
図１３は、ジョブシーケンス重みパラメータ算出部１１０の別の例を示す。この例では、ジョブシーケンス重みパラメータ算出部１１０内の基準比較算出部１１０ｃは、ジョブシーケンスの基準長さに対する重みパラメータおよび／またはスキャン送信の同報送信の場合の基準宛先数に対する重みパラメータを算出する。ここで、ジョブシーケンスの長さの場合、基準値を越える長さのジョブシーケンスに対して、基準長さを超える長さに応じて重みパラメータに大きな値を設定する。これは、ジョブシーケンスが長いと、再設定の項目が多くなり再設定の労力が大きくなり、再利用価値が高いと評価しているためである。または、基準値を越える宛先数のジョブシーケンスに対して、基準長さを超える宛先数に応じて重みパラメータに大きな値を設定する。これは、同報送信の場合の宛先数が多い場合、通常の設定と大きく異なるほど、再利用の際にそのままの宛先数を使用することが多いと考えられるためである。
【００３８】
図１４は、基準比較算出部１１０ｃのジョブシーケンス重みパラメータ算出のフローチャートを示す。ジョブシーケンス記憶部１０６に記憶されたジョブシーケンス情報に対し、図１０の例と同様にしてジョブシーケンスを構成するシーケンスＩＤを特定し（Ｓ１６０ｃ）、そのシーケンスＩＤのシーケンスと同じ設定からなるジョブシーケンスを特定する（Ｓ１６２ｃ）。さらに、ジョブシーケンスの長さおよびスキャン送信の宛先数の情報は、図１０の例と同様にして、ジョブシーケンス記憶部１０６を通してジョブシーケンス抽出部１０４や設定ログ情報記録部１０２から取得する（Ｓ１６４ｃ）。そして、これらの実行時の設定値と基準値記憶部に記憶されている当該基準値を取得し（Ｓ１６６ｃ）、設定値と基準値を比較して、あらかじめ設定された算出方法に従って重みパラメータを算出し（Ｓ１６８ｃ）、ジョブシーケンス記憶部１０６の当該ジョブシーケンスの欄に記憶する（Ｓ１７０ｃ）。ジョブシーケンスの長さに関する重みパラメータは、たとえば、基準長さを超えた長さをもつジョブシーケンスに対して、超えた長さにある係数を乗じて算出する。スキャン送信の宛先数に関する重みパラメータは、たとえば、基準宛先数を超える宛先数にある係数を乗じて算出する。また、双方とも、重みパラメータは固定値でも構わない。さらに、ジョブシーケンスに含まれる操作の内容により、基準値や算出方法を変更したり、ユーザによってこれらを変更したりしてもよい。ユーザは、ユーザ識別情報を基にユーザ管理部１２８から特定される。
【００３９】
図１５は、ジョブシーケンス重みパラメータ算出部１１０の別の例を示す。この例では、ジョブシーケンス重みパラメータ算出部１１０内の相違算出部１１０ｄは、ジョブシーケンス間の相違数（各シーケンスに含まれるログＩＤの中で、異なる設定項目をもつログＩＤの数と同一の設定項目で、設定内容が異なるログＩＤの数の和）の許容値に応じてジョブシーケンスの重みパラメータを算出する。ここで、比較対象となるジョブシーケンスの利用頻度が所定値より高くて、かつ、相違数が許容相違数以内しかないジョブシーケンスには、相違数に応じて重みパラメータに大きな数値を設定する。たとえば、相違数が１であれば重みパラメータが１００、相違数が１０であれば、重みパラメータを１０とする。これは、利用頻度が低いが相違数が少ないジョブシーケンスについて、再設定の労力を少なくして、ユーザの利便性を高めるためである。
【００４０】
図１６は、相違算出部１１０ｄのジョブシーケンス重みパラメータ算出のフローチャートを示す。ジョブシーケンス記憶部１０６に記憶されたジョブシーケンス情報に対し、図１０の例と同様にしてジョブシーケンスを構成するシーケンスＩＤを特定し（Ｓ１６０ｄ）、そのシーケンスと同じ設定からなるジョブシーケンスを特定する（Ｓ１６２ｄ）。次に、ジョブシーケンス記憶部１０６の各ジョブシーケンスを構成する設定ログ情報を取得して、ジョブシーケンスに含まれる一連の設定に含まれる個々の設定を、先に取得したジョブシーケンスの場合と比較する（Ｓ１６４ｄ）。次に、相違許容値記憶部１１６から許容相違数を取得する（Ｓ１６６ｄ）。ステップＳ１６２ｄで特定したジョブシーケンスについて、図７のステップＳ１４で求めている利用頻度値が基準値より高いジョブシーケンスであって、かつ、異なる設定の数が相違許容値記憶部１１６から取得した相違許容値以内しかないジョブシーケンスであれば、重みパラメータを算出して、ジョブシーケンス記憶部１０６の当該ジョブシーケンスの欄に記憶する（Ｓ１６８ｄ）。なお、相違数に応じてある係数を乗じて重みパラメータを算出してもよく、固定値であってもよい。また、ジョブシーケンスの内容やユーザに応じて重みパラメータの算出法を変更してもよい。
【００４１】
これまで、重みパラメータの算出をいくつかの例について個別に説明した。複数の事項について個別に重みパラメータが算出される場合は、最後に総合的な重みパラメータが算出される。ここで、それぞれの算出の結果得られた値は、あらかじめ設定された係数を乗じて加算される。この係数は、ユーザが所望する値に変更できるようにしてもよい。また、たとえば、ユーザ毎に異なる係数配分を持たせても、ジョブシーケンスの内容で係数を変化させてもよい。これについても、ユーザが設定できるようにしてもよい。また、重みパラメータを加算する方向で算出するだけでなく、必要に応じて、減算する方向で算出してもよい。これにより、より一層ユーザの利用状況に即した重みパラメータの算出が可能になる。たとえば、図１３の基準比較算出部１１０ｃにおいて、対象とするジョブシーケンスの長さが基準値記憶部１１４に記憶されている当該基準値より短ければ、長さの差に応じた負の値を算出して、これをジョブシーケンス記憶部１０６の当該ジョブシーケンスの欄に記憶させることにより、重みパラメータの減算が実現できる。
【００４２】
ジョブシーケンス判断部１１８では、ジョブシーケンス記憶部１０６に記憶された各ジョブシーケンスの利用頻度値および重みパラメータを取得して、これらの値を、判断基準設定部１２０に記憶された評価基準に従って、ユーザに提示するか否か、あるいは、提示する優先度を評価結果としてジョブシーケンス記憶部１２６の該当する欄に記憶する。このための評価方法は、ジョブシーケンスの内容やユーザごとに変更してもよい。ジョブシーケンス提示登録部１２６では、この評価結果に基づいて操作パネルの表示部１２２に当該ジョブシーケンスにそった設定のシーケンスを提示したり、操作パネル３４の操作入力部１２４からのユーザの操作に従ってワンタッチキーに登録したりする。また、通信部２０を介して、ネットワーク４０で接続された他のコンピュータ４２や画像処理装置にこれらの情報を転送したり、登録の指示を受けたりできるようになっていてもよい。
【００４３】
ユーザへのジョブシーケンスの提示や登録は、以上に説明したジョブシーケンスの評価に基づいて行われる。図１７と図１８は、複合機を使用する際に、シーケンスの場合の基本画面から各種画面への遷移フローを示す。ここでは、スキャンから始まるシーケンスについて説明するが、他の機能を設定する場合についても同様である。ログインがあると操作パネル３４に基本画面（図１９参照）を表示する（Ｓ５０）。ユーザによる正しいユーザ名とパスワードの入力を受け付け（Ｓ５２でＹＥＳ）、かつ、スキャンボタンの押下を検出すると（Ｓ５４でＹＥＳ）、いずれかの機能が設定できる状態になる。いま基本画面においてユーザがスキャンを選択したとすると、スキャン基本画面（図２０参照）を表示する（Ｓ５６）。
【００４４】
次に、スキャン基本画面での操作に応じた処理を行う。ここで、スキャンのための各種設定入力の操作があると（Ｓ５８でＹＥＳ）、その設定を入力し（Ｓ６０）、その設定のログを設定ログ情報記録部１０２に記録する（Ｓ６２）。この設定ログ記録は、設定入力ごとに記録する。
【００４５】
ステップＳ６４以下の処理は、図２のジョブシーケンス提示登録部１２６に対応する。スキャン基本画面（図２１参照）でシーケンス一覧タブの押下を検出すると（Ｓ６４でＹＥＳ）、シーケンス一覧・選択画面を表示する（Ｓ６６）。次に、画面に表示されたジョブシーケンスの一覧の中からユーザがいずれかを選択すると（Ｓ６８でＹＥＳ）、その選択されたジョブシーケンスを選択する（Ｓ７０）。そして、実行ボタンが押されると（Ｓ７２でＹＥＳ）、そのジョブシーケンスを実行する（Ｓ７４）。
【００４６】
また、ワンタッチ一覧タブの押下を検出すると（Ｓ７６でＹＥＳ）、ワンタッチ一覧・選択画面（図２２参照）を表示する（Ｓ７８）。次に、画面に表示されたワンタッチキーの一覧の中からユーザがいずれかを選択すると（Ｓ８０でＹＥＳ）、その選択されたワンタッチキーを選択する（Ｓ８２）。そして、実行ボタンが押されると（Ｓ８４でＹＥＳ）、そのワンタッチキーに登録されているジョブシーケンスを実行する（Ｓ８６）。
【００４７】
また、シーケンス登録タブの押下を検出すると（Ｓ８８でＹＥＳ）、シーケンス登録画面（図２３参照）を表示する（Ｓ９０）。ここでワンタッチキーへの登録操作（ジョブシーケンスの選択、ワンタッチキーの選択および名称の入力）があると（Ｓ９２でＹＥＳ）、そのジョブシーケンスをワンタッチキーに登録する（Ｓ９４）。
【００４８】
図１９は、操作パネル３４の表示部１２２に表示される基本画面の１例を示す。この基本画面において、ログイン認証のため、ユーザ名とパスワードを入力する欄が設けられている。ログイン認証には、操作パネルでの入力の他に、携帯できる外部記憶デバイス（ＵＳＢメモリ、ＩＣカードなど）からの情報を入力できるようにしてもよい。正当なユーザ情報の入力がユーザ管理部１２８のデータから確認されると、ログインが完了する。次に、コピー、スキャン、ＦＡＸのいずれかのボタンを押下することにより、この画像処理装置のコピー、スキャン、ファクシミリの機能を利用するための画面に遷移する。スキャン機能が選択されると、図２０に示されるようなスキャン基本画面が示される。この画面では、スキャンを操作する上で必要な主要設定項目（読み込みモード設定、用紙設定、宛先設定及びその他設定）が表示されるとともに、画面上部に各種タブが表示される。タブには、上述の設定シーケンスに関する画面に移るためのタブが含まれている。
【００４９】
図２１は、シーケンス一覧のタブが選択されたときに表示されるシーケンス一覧画面の例を示す。ここで、設定シーケンスの欄にジョブシーケンス（設定のシーケンス）が表示される。ジョブシーケンスの一覧表示では、画面の左側に設けた重みパラメータの順、利用頻度順、ユーザ設定（ユーザが独自に設定した順序付けルールをいう）のいずれかのボタンを押下することにより、重みパラメータの昇順や降順、利用頻度の昇順や降順、さらに、ユーザ設定に従って、該当するシーケンスの一覧表示をする。次に、ユーザが、設定シーケンスの欄に表示されているジョブシーケンスの中から１つを選択した後に、操作入力部１２４の実行ボタンを押下すると、選択したジョブシーケンスが実行される。デフォルトでは、重みパラメータの順で表示するようにしてもよい。重みパラメータ順で表示すると、利用頻度が低くても再利用価値の高いジョブシーケンスを容易に選択し実行できる。なお、ジョブシーケンスの内容は、ユーザが見て直ちに理解できるように表示される。具体的には、そのジョブシーケンスを構成する一連の設定項目が長方形枠の１列の配列で表示され、各長方形枠の中に、対応する設定項目の設定内容が「スキャン設定」、「フォーマット：PDF」、「解像度：200dpi」のように記載される。
【００５０】
図２２は、ワンタッチ一覧のタブを選択したときに示されるワンタッチキー一覧画面の例を示す。登録済みワンタッチキーの欄に、登録済みワンタッチキーが表示される。この例では、Scan1、Scan2、Scan3の３つのワンタッチキーが登録されている。いま、その中の「Scan3」を選択すると、その選択に対応して、設定シーケンスの欄に、そのジョブシーケンスの内容が表示される。したがって、操作者は、登録されているジョブシーケンスの内容を画面で容易に確認できる。ワンタッチキーを選択した後、操作入力部１２４上の実行ボタンを押すと、そのワンタッチキーに登録されているジョブシーケンスを実行する。ここで、実行の際に、設定シーケンスの欄に表示されているシーケンスの一部（たとえばスキャンデータを電子メールで送信するときの「宛先」（電子メールのアドレス））を操作入力部１２４での手入力で変更してから、変更されたシーケンスを実行することも可能である。これにより、同じスキャン機能の設定で異なる宛先に送信できる。ここで、図２１の画面と同様に、登録済みワンタッチキーの表示では、重み順、頻度順およびユーザ設定のいずれかのボタンを押下することにより、重みパラメータの昇順や降順、利用頻度の昇順や降順、さらに、ユーザ設定に従って表示する。重みパラメータの順にワンタッチキーを表示することにより、再利用価値が高いワンタッチキーを容易に選択できる。
【００５１】
図２３は、シーケンス登録タブを押下したときに示されるジョブシーケンス登録画面の例を示す。この画面において、ワンタッチキーにジョブシーケンスを登録できる。ここで、設定シーケンスの欄に、記憶されているジョブシーケンスに対応した設定の一連の流れが表示される。ユーザが、所望のワンタッチキーを選択して、名前を入力すると、選択された設定の流れが当該番号に対応するワンタッチキーに登録される。図示した例では、設定シーケンスの一番上のシーケンスを選択して（黒丸は選択を示す）、登録シーケンスの欄で新たに表示される３番目のワンタッチキーに名前を入力しようとしているところである。３番目のワンタッチキーには、名称の入力のため、カーソルが表示されている。ここで、３番目のワンタッチキーに登録する名前を、下側に表示されている英数字キーなどからユーザが入力する。なお、単にワンタッチキーの番号を指定して登録するようにしてもよい。登録したワンタッチキーを図２３の画面に表示することで、ユーザは容易に登録したジョブシーケンスを実行できる。なお、図２１の画面と同様に、設定シーケンス欄の表示では、重み順、頻度順およびユーザ設定のいずれかのボタンを押下することにより、重みパラメータの昇順や降順、利用頻度の昇順や降順、さらに、ユーザ設定に従って表示する。ここで、重みパラメータ順で表示すると、利用頻度が低くても再利用価値の高いジョブシーケンスを、容易にワンタッチキーに登録できる。
【００５２】
上述の実施の形態では、ジョブシーケンスを例にとって重みパラメータの算出について説明したが、１つのログＩＤからなる操作についても同様の重みパラメータ算出が行えることはいうまでもない。また、上述の実施の形態では、設定値の乖離度、ジョブシーケンス実行の定時性からのずれ、ジョブシーケンスの長さ、同報送信の場合の同報送信宛先数およびジョブシーケンスの相違について重みパラメータが算出可能である。そのような複数の事項の中でいずれの事項を選択するかをあらかじめ設定しておく。しかし、重み設定タブを押下した場合に重み設定画面を表示して、重みパラメータの算出内容をユーザが設定できるようにしてもよい。図２４に示す重みパラメータ設定画面では、係数を設定することによりいずれか１つの重みパラメータを選択できるし、また、複数の事項の重みパラメータを加算することもできる。図に示す例では２つの事項について加算する。単なる加算としない場合は、加算のための係数をユーザが設定できる。また、図示しないが、重みパラメータの算出については種々の変形が可能である。たとえば、係数は、ジョブシーケンスの内容に応じて変化できるようにしてもよい。また、選択された事項について、算出に用いる基準値をユーザが設定できるようにしてもよい。また、重みパラメータの算出式をユーザが設定できるようにしてもよい。
【００５３】
なお、上述の実施の形態では当該画像処理装置のすべてのユーザの設定についてまとめて再利用価値を判断していたが、所定範囲内のユーザについて、または、ユーザごとに、再利用可能性を判断することも可能である。
【図面の簡単な説明】
【００５４】
【図１】画像処理装置のブロック図
【図２】画像処理装置の機能の構成を示すブロック図
【図３】ユーザごとの設定ログ記録情報の例を示す図
【図４】ジョブシーケンスの１例を示す図
【図５】設定のシーケンスにそったログ記録情報の１例の図
【図６】ジョブシーケンスのパラメータ情報の１例の図
【図７】ジョブシーケンスの抽出からその記憶までの動作のフローチャート
【図８】デフォルト設定値からの乖離度からジョブシーケンスの重みパラメータを算出する構成を示す図
【図９】乖離度算出部のジョブシーケンス重みパラメータ算出のフローチャート
【図１０】デフォルト設定値からの乖離度からジョブシーケンスの重みパラメータを算出する流れを示す図
【図１１】定時性からジョブシーケンスの重みパラメータを算出する構成を示す図
【図１２】定時性算出部のジョブシーケンスの重みパラメータ算出のフローチャート
【図１３】ジョブシーケンスの基準長さに対するジョブシーケンスの重みパラメータおよびスキャン送信先の基準宛先数に対するジョブシーケンスの重みパラメータを算出する機能の構成を示す図
【図１４】基準比較算出部のジョブシーケンスの重みパラメータ算出のフローチャート
【図１５】ジョブシーケンス間の相違点の許容値に応じてジョブシーケンスの重みパラメータを算出する構成を示す図
【図１６】相違算出部のジョブシーケンスの重みパラメータ算出のフローチャート
【図１７】ジョブシーケンスの提示や登録の１部のフローチャート
【図１８】ジョブシーケンスの提示や登録の他の部分のフローチャート
【図１９】基本画面の図
【図２０】スキャン基本画面の図
【図２１】ジョブシーケンス一覧画面の図
【図２２】ワンタッチキー一覧画面の図
【図２３】ジョブシーケンス登録画面の図
【図２４】重みパラメータ設定画面の図
【符号の説明】
【００５５】
１０  制御部、    ３０  画像読取部、    ３２  画像形成印刷部、    １２  ＣＰＵ、    １８  ハードディスク装置、    ４０  ネットワーク、    ４２  コンピュータ、    １０２  設定ログ記録部、    １０４  ジョブシーケンス抽出部、    １０６  ジョブシーケンス記憶部、    １０８  ジョブシーケンス利用頻度算出部、    １１０  ジョブシーケンス重みパラメータ算出部、    １１０ａ  乖離度算出部、    １１０ｂ  定時性相違部、    １１０ｃ  基準比較算出部、    １１０ｄ  相違算出部、    １１８  ジョブシーケンス判断部、    １２２  表示部、    １２４  操作入力部、    １２６  ジョブシーケンス提示登録部。
【図１】
2007052490.tif 000003
【図２】
2007052490.tif 000004
【図３】
2007052490.tif 000005
【図４】
2007052490.tif 000006
【図５】
2007052490.tif 000007
【図６】
2007052490.tif 000008
【図７】
2007052490.tif 000009
【図８】
2007052490.tif 000010
【図９】
2007052490.tif 000011
【図１０】
2007052490.tif 000012
【図１１】
2007052490.tif 000013
【図１２】
2007052490.tif 000014
【図１３】
2007052490.tif 000015
【図１４】
2007052490.tif 000016
【図１５】
2007052490.tif 000017
【図１６】
2007052490.tif 000018
【図１７】
2007052490.tif 000019
【図１８】
2007052490.tif 000020
【図１９】
2007052490.tif 000021
【図２０】
2007052490.tif 000022
【図２１】
2007052490.tif 000023
【図２２】
2007052490.tif 000024
【図２３】
2007052490.tif 000025
【図２４】
2007052490.tif 000026